(57)【要約】【課題】  異物による接触障害の可能性を最小限にする電磁継電器の接点構造を提供し、接触信頼性に優れた電磁継電器を得ることにある。【解決手段】  複数の固定接点３および４が、少なくとも一つの可動接点１に対向するよう配置される。固定端子５は、可動接点１に対する対向角度を設けるため、中間位置で屈曲される。可動接点１は円板状であり、固定接点３および４の平面部が可動接点１の上面を構成する円周に斜めに当接する。【選択図】  図１
2013196923.tif 000002
【特許請求の範囲】
【請求項１】
板状の接触部を少なくとも一つ接合した第一の端子と、板状の接触部を少なくとも一つ接合した第二の端子を有し、前記第一の端子と前記第二の端子の前記接触部は互いに対向するよう配置され、前記第一の端子は前記第二の端子に対して相対的に可動し、前記第一の端子及び前記第二の端子における前記接触部が互いに接触することにより前記第一の端子及び前記第二の端子の間は電気伝導し、前記第一の端子における前記接触部の周縁部と前記第二の端子における前記接触部の板面が接触するよう配置されることを特徴とする電磁継電器の接点構造。
【請求項２】
前記第一の端子における前記接触部の周縁部は、外側に凸な曲線部を有し、前記第二の端子における前記接触部の板面は、平面または外側に凸な曲面であり、前記第一の端子における前記接触部の周縁部と前記第二の端子における前記接触部の板面が対向角度をもって当接することを特徴とする請求項１に記載の電磁継電器の接点構造。
【請求項３】
前記第一の端子における前記接触部の周縁部の形状が円であることを特徴とする、請求項１または２に記載の電磁継電器の接点構造。
【請求項４】
請求項１乃至３に記載の接点構造を有することを特徴とする電磁継電器。
【発明の詳細な説明】
【技術分野】
【０００１】
本発明は、電磁継電器およびその接点構造に関する。
【背景技術】
【０００２】
従来の電磁継電器の可動接点と固定接点には、可動接点と固定接点の表面に僅かな異物が付着すると接触障害を起こす可能性がある、という欠点があった。
【０００３】
この接触障害を防止する技術として、特許文献１（課題を解決するための手段）には、長手方向の一端を固定し、かつ他端に２個の可動接点を有するツイン可動接点ばねと、ツイン可動接点ばねの可動接点に対向して配置され、且つ表面にＶ字形状の突起又は窪みを設けた固定接点と、ツイン可動接点ばねの近傍に配置されるスタッドとを有し、スタッドを駆動することによりＶ字形状をした固定接点の各スロープにツイン可動接点ばねのそれぞれの接点が当接するように構成することで接点摺動量を増加させ、電流供給のオン・オフによって生ずる有機化合物が付着したり蓄積されたりするのを防止し、接点の信頼性を向上させる技術が開示されている。
【先行技術文献】
【特許文献】
【０００４】
【特許文献１】特開平０３−０９８２３０号公報
【発明の概要】
【発明が解決しようとする課題】
【０００５】
しかしながら、上記技術によっても異物の付着を完全に防止することはできず、接触障害を起こす可能性は依然として残されているという課題があった。
【０００６】
そこで、本発明の課題は、異物による接触障害の可能性を最小限にする電磁継電器の接点構造を提供し、接触信頼性に優れた電磁継電器を得ることにある。
【課題を解決するための手段】
【０００７】
上記課題を解決するため、本発明による電磁継電器の接点構造は、板状の接触部を少なくとも一つ接合した第一の端子と、板状の接触部を少なくとも一つ接合した第二の端子を有し、第一の端子と第二の端子の接触部は互いに対向するよう配置され、第一の端子は第二の端子に対して相対的に可動し、第一の端子及び第二の端子における接触部が互いに接触することにより第一の端子及び第二の端子の間は電気伝導し、第一の端子における接触部の周縁部と第二の端子における接触部の板面が接触するよう配置されることを特徴とする。ここで、第一の端子における接触部の周縁部は、外側に凸な曲線部を有し、第二の端子における接触部の板面は、平面または外側に凸な曲面であり、第一の端子における接触部の周縁部と第二の端子における接触部の板面が対向角度をもって当接することとしてもよい。さらに、第一の端子における接触部の周縁部の形状を円としてもよい。
【０００８】
また、本発明による電磁継電器は、上記の接点構造を有することを特徴とする。
【発明の効果】
【０００９】
上記構成とすることにより、異物による接触障害の可能性を最小限にする電磁継電器の接点構造が得られる。したがって、接触信頼性に優れた電磁継電器が得られる。
【図面の簡単な説明】
【００１０】
【図１】本発明による電磁継電器の接点構造を示す斜視図である。
【図２】本発明による電磁継電器の、開状態における接点の様子を示す側面図である。
【図３】本発明による電磁継電器の、閉状態における接点の様子を示す側面図である。
【発明を実施するための形態】
【００１１】
以下、本発明を実施するための形態を、図を用いて説明する。
【００１２】
図１は、本発明による電磁継電器の接点構造を示す斜視図である。図１において、第一の端子である可動端子２と、第二の端子である固定端子５は互いに対向するよう配置される。可動端子２には、板状の接触部である可動接点１が接合されており、固定端子５には板状の接触部である固定接点３および４がそれぞれ接合されている。可動接点１、固定接点３および４は例えば銀酸化物複合合金からなり、可動端子２、固定端子５は、例えば銅合金からなる。また、可動接点１が固定接点３および４と接触する接触部の周縁部の形状は円であり、固定接点３および４が可動接点１と接触する接触部は平面である。
【００１３】
図２は、本発明による電磁継電器の、開状態における接点の様子を示す側面図である。図２において、可動接点１は、固定接点３および４の中間位置で対向するように配置される。可動接点１の幅は、固定接点３の左端から固定接点４の右端までの幅よりも小さく、可動接点１の高さは、可動接点１と固定接点３および４が接触した際に、可動端子２の端部が固定接点３または４と干渉しない高さとする。
【００１４】
図３は、本発明による電磁継電器の、閉状態における接点の様子を示す側面図である。図３において、固定接点３および４は、それぞれ可動接点１の左上端および右上端で、可動接点１に対して対向角度θを有して接している。対向角度θは、例えば固定端子５を固定接点３および４の中間位置で曲げることによって得られる。
【００１５】
対向角度θは、可動接点１と固定接点３および４が接触した際に、可動端子２の端部が固定接点３または４と干渉しない角度であればよい。より具体的には、接点の接触面積を小さくすることや、角度を大きくしすぎると可動接点を両側から挟み込む固定接点の間隔が狭くなることを考慮し、具体的には０°＜θ＜４５°が好適であり、０°≦θ≦２５°とすることがより好ましい。
【００１６】
上記構成とすることにより、可動接点と固定接点は点で接触する。点で接触する構成であるため、接触部分以外であれば接点表面に異物が付着しても接触障害が発生することはない。さらに、可動接点一つに対し、固定接点を複数設けているため、どちらか一方の接触部分に異物が付着しても、他方の接触部分が機能すれば接触障害は発生しないため、電磁継電器として接触障害が起こる可能性はさらに低くなる。
【００１７】
以下、本発明による電磁継電器の接点の動作について、図２および図３を参照しつつ説明する。
【００１８】
本発明による電磁継電器は、可動接点１を備えた可動端子２と、固定接点３および４を備えた固定端子５のほか、図示しない鉄芯、ヨーク、アマチュアおよびコイルを有する。可動端子２は、鉄心と、鉄心に磁気接続したヨークとが形成する電磁回路により移動するアマチュアに連結され、コイルに通電されない非通電時は固定端子５と乖離した状態にある。コイルに通電すると、可動端子２はコイルから発生する磁気力を受け、アマチュアと共に固定端子５方向に移動し、可動接点１が固定接点３および固定接点４に接触して電磁継電器は閉状態となる。
【００１９】
このとき、固定接点３および４は可動接点１の左上端と右上端の２点で接触するため、可動端子２から固定端子５へ十分な押圧が与えられ、接触面積が小さくても安定した導通状態が得られる。また、接点同士が点で接触しているため、接触部分以外であれば接点表面に異物が付着しても接触障害が発生することはない。さらに、接触部分が２点あるため、どちらか一方の接触部分に異物が付着しても、他方の接触部分が機能するので接触障害は発生しない。
【００２０】
以上より、本発明によれば、接触信頼性に優れた電磁継電器が得られる。なお、本形態においては可動接点一つに対し、固定接点を二つ設けているが、接点の数は必要に応じて適宜増減することができる。また、固定接点一つに対し、可動接点を複数設けても同様の効果が得られる。また、接点の形状についても、一方の接点が持つ外側に凸な曲線と、他方の接点が持つ平面または外側に凸な曲面が互いに当接する構成であればよい。
【符号の説明】
【００２１】
１  可動接点
２  可動端子
３  固定接点
４  固定接点
５  固定端子
【図１】
2013196923.tif 000003
【図２】
2013196923.tif 000004
【図３】
2013196923.tif 000005